(57)【要約】【課題】各種遊技機の前面部及び遊技媒体の受け皿の形態に影響されることなく対応可能であり、汎用性・利便性の向上を図る遊技媒体貸出機のノズルシュートを提供すること。【解決手段】遊技機（パチンコ機ｐ）に隣接して設置される貸出機本体２の前面に、遊技機に用いる遊技媒体（パチンコ球）を払い出す払い出し部３を設け、その払い出し部３から払いだされる遊技媒体を該遊技機に設けられる受け皿（上皿ｇ）に供給するノズルシュートを備えた遊技媒体貸出機（パチンコ球貸出機１）において、前記ノズルシュート１０は、遊技媒体たるパチンコ球ｍの通路が内方に形成された複数個の連結部材１５を接続することにより所定長さに設けられ、かつ、少なくとも水平方向に曲げ変形自在であって、その変形姿勢を保持可能に設けた。【選択図】  図６
2004275354.tif 000002
【特許請求の範囲】
【請求項１】
遊技機に隣接して設置される貸出機本体の前面に、当該遊技機に用いる遊技媒体を払い出す払い出し部を設け、その払い出し部から払いだされる遊技媒体を該遊技機に設けられる受け皿に供給するノズルシュートを備えた遊技媒体貸出機において、前記ノズルシュートは、前記遊技媒体の通路が内方に形成された複数個の連結部材を接続することにより所定長さに設けられ、かつ、少なくとも水平方向に曲げ変形自在であって、その変形姿勢を保持可能に設けられていることを特徴とする遊技媒体貸出機のノズルシュート。
【請求項２】
前記連結部材の前記通路を囲む周壁部の上下箇所には、一定間隔をおいて一対の嵌合孔と外方又は内方に突出するように形成された係止突起を夫々設け、隣り合う連結部材同士は、一方の連結部材の係止突起に他方の連結部材の嵌合孔を遊嵌することにより鎖状に接続され、かつ、一方の連結部材の係止突起を中心として他方の連結部材を所定角度範囲内で回動可能に設けられ、複数個の連結部材が接続された連結部材群の一端に、前記払い出し部に連結するための継手部材を取り付け、その連結部材群の他端に、前記遊技媒体の排出口が形成されたノズル部材を取り付けたことを特徴とする請求項１に記載の遊技媒体貸出機のノズルシュート。
【請求項３】
遊技機の前面枠及び受け皿の形態に合わせて前記連結部材の接続個数を任意に設定可能とし、その設定された個数の連結部材を接続してなることを特徴とする請求項１又は２に記載の遊技媒体貸出機のノズルシュート。
【請求項４】
前記遊技機がパチンコ機であり、前記遊技媒体をパチンコ球としたことを特徴とする請求項１〜３の何れかに記載の遊技媒体貸出機のノズルシュート。
【発明の詳細な説明】
【０００１】
【発明の属する技術分野】
本発明は、パチンコ機やスロツトルマシン等の遊技機に隣接して設置されていて、硬貨、プリペイドカード等を投入し、投入金額に応じた遊技媒体であるパチンコ球やメダルの貸し出しを行う遊技媒体貸出機におけるノズルシュートに関する。
【０００２】
【従来の技術】
パチンコホールでは、図７に示すようなパチンコ球貸出機ａを隣り合うパチンコ機の間に配置し、遊技客が座った姿勢のままで当該貸出機ａの投入口ｂに硬貨、プリペイドカード等を投入することにより、投入金額に応じたパチンコ球がノズルシュートｃを介してパチンコ機の上皿に供給することができるようにされている。この種のパチンコ球貸出機のノズルシュートに関しては、例えば、特開平７−１１２０６９号公報、特開２００２−１０２５２７号公報に記載されて公知である。これらの公開特許公報に記載されたノズルシュートは、何れも直線状の一定形態とされていて、貸出機本体の前面に設けられた払い出し部に基端部をピンで連結して取り付けられ、そのピンを支点として上下方向に回動することができると共に、払い出し部の中心部を中心として全体を水平方向に回動することができるように構成されている。
【０００３】
特開２００２−１８１０８号公報には、スロットルマシン等の遊技機に隣接して設置される「遊技媒体貸出機のノズルシュート」が記載されている。このノズルシュートは、先端にノズルトップを揺動可能に取り付けたノズルを平面から見て円弧状に曲げた形態とされていて、遊技機の下皿にメダルを払いだすように構成されている。
【０００４】
【発明が解決しようとする課題】
現在のパチンコ機においては、前面枠及び受け皿の形態が立体化・多様化したデザイン傾向にあり、パチンコ球貸出機に備えられた直線状形態のノズルシュートをメーカー各社のパチンコ機の受け皿（上皿）に対して確実に対応するように利用することが困難な状況となっている。そこで、パチンコ機の前面枠及び受け皿の形態に影響されずに対応可能な汎用性のある遊技媒体貸出機のノズルシュートの出現が要望されていた。
【０００５】
後者のスロットルマシン用遊技媒体貸出機のノズルシュートについても、ノズルが固定形態とされていることから、遊技機の前面部及び遊技媒体の下皿の様々な形態への対応に限界を生じて、パチンコ機の球貸出機と同様の危惧を免れないであろう。
【０００６】
この発明の目的は、各種遊技機の前面部及び遊技媒体の受け皿の形態に影響されることなく対応可能であり、汎用性・利便性の向上を図る遊技媒体貸出機のノズルシュートを提供することにある。
【０００７】
【課題を解決するための手段】
前記目的を達成するために請求項１に記載した発明は、遊技機に隣接して設置される貸出機本体の前面に、当該遊技機に用いる遊技媒体を払い出す払い出し部を設け、その払い出し部から払いだされる遊技媒体を該遊技機に設けられる受け皿に供給するノズルシュートを備えた遊技媒体貸出機において、前記ノズルシュートは、前記遊技媒体の通路が内方に形成された複数個の連結部材を接続することにより所定長さに設けられ、かつ、少なくとも水平方向に曲げ変形自在であって、その変形姿勢を保持可能に設けられていることを特徴とする。
【０００８】
同様の目的を達成するために請求項２に記載した発明は、請求項１に記載の遊技媒体貸出機のノズルシュートにおいて、前記連結部材の前記通路を囲む周壁部の上下箇所には、一定間隔をおいて一対の嵌合孔と外方又は内方に突出するように形成された係止突起を夫々設け、隣り合う連結部材同士は、一方の連結部材の係止突起に他方の連結部材の嵌合孔を遊嵌することにより鎖状に接続され、かつ、一方の連結部材の係止突起を中心として他方の連結部材を所定角度範囲内で回動可能に設けられ、複数個の連結部材が接続された連結部材群の一端に、前記払い出し部に連結するための継手部材を取り付け、その連結部材群の他端に、前記遊技媒体の排出口が形成されたノズル部材を取り付けたことを特徴とするものである。
【０００９】
同様の目的を達成するために請求項３に記載した発明は、請求項１又は２に記載の遊技媒体貸出機のノズルシュートにおいて、遊技機の前面枠及び受け皿の形態に合わせて前記連結部材の接続個数を任意に設定可能とし、その設定された個数の連結部材を接続してなることを特徴とするものである。
【００１０】
同様の目的を達成するために請求項４に記載した発明は、請求項１〜３の何れかに記載の遊技媒体貸出機のノズルシュートにおいて、前記遊技機がパチンコ機であり、前記遊技媒体をパチンコ球としたことを特徴とするものである。
【００１１】
【発明の作用及び効果】
（請求項１の発明）
この遊技媒体貸出機のノズルシュートは、複数個の連結部材を接続して少なくとも水平方向に曲げ変形自在とされている。これにより、例えば、パチンコ機の前面枠の前面部が膨らむような形状とされていて前方に張り出すような形態であっても、ノズルシュートを適宜曲げて先端の排出口が上皿の上方に位置するように調節することにより、パチンコ球を上皿に確実に安定的に供給することができる。
【００１２】
しかして、この遊技媒体貸出機のノズルシュートは、各種遊技機の前面部及び遊技媒体の受け皿の形態に影響されることなく対応して使用することができて、汎用性及び利便性に優れている。
【００１３】
（請求項２の発明）
この遊技媒体貸出機のノズルシュートは、複数個の連結部材を鎖状に接続して少なくとも水平方向に曲げ変形自在とされているので、各種遊技機の前面部及び遊技媒体の受け皿の形態に合わせて適宜調節することができる。
【００１４】
（請求項３の発明）
この遊技媒体貸出機のノズルシュートは、遊技機の前面枠及び受け皿の形態に合わせて連結部材の接続個数を任意に設定することができるので、汎用性及び利便性に優れている。
【００１５】
（請求項４の発明）
この遊技媒体貸出機のノズルシュートは、パチンコ機の多様な立体的意匠を施された前面枠及び受け皿の形態に影響されずに対応可能である。加えて、このノズルシュートは、従来のパチンコ球貸出機の払い出し部に取り付けることが可能であり、貸出機本体を改造することなく適用することができる利点を有する。
【００１６】
【発明の実施の形態】
以下に、本発明の実施の形態例を図面に基づいて説明する。図１はパチンコ球貸出機のノズルシュートの側面図、図２は連結部材の平面図（イ）と側面図（ロ）、図３は継手部材の平面図（イ）と側面図（ロ）、図４はノズル部材の側面図、図５はパチンコ球貸出機の払い出し部分の説明図、図６はパチンコ球貸出機のノズルシュートの使用状態を示す説明図である。
【００１７】
本発明の実施の形態例を説明するに当たり、ここでは、遊技媒体貸出機を「パチンコ球貸出機」、遊技機を「パチンコ機」、遊技媒体を「パチンコ球」として説明する。図５に示すパチンコ球貸出機１の貸出機本体２は、パチンコ機に隣接して設置され、その前面にパチンコ球を払い出すための払い出し部３を設けている。
【００１８】
その払い出し部３には、縦筒４が周方向に回動自由に支持されていて、その縦筒４に放出口５を突出させるように一体に形成している。その放出口５は、上方を開放したコ字形状とされ、左右両側の縦壁部５ａの外面に短いピン６，６が夫々突設されている。この放出口５には、後記ノズルシュート１０が取り付けられる。
【００１９】
ノズルシュート１０は、図１に示すように、複数個の連結部材１５が接続された連結部材群１５′の一端に継手部材２０を取り付け、その連結部材群１５′の他端にノズル部材３０を取り付けて少なくとも水平方向に曲げ変形自在に設けられている。
【００２０】
詳しくは、上記連結部材１５は、図２に示すように、長手方向の内方をパチンコ球の通路ｘとするリンク形態とされており、四角形状の周壁部の上面１５ａと下面１５ｂには、一定間隔をおいて一対の嵌合孔１６と、外方に突出するように形成された係止突起１７を夫々設け、それら上面１５ａと下面１５ｂの端縁を円弧状に形成している。また、それらの係止突起１７を設けた平面については、嵌合孔１６を設けた平面（上面１５ａ及び下面１５ｂ）よりもほぼ板厚の寸法だけ低く形成されている。
【００２１】
そして、隣り合う連結部材１５，１５同士は、一方の連結部材１５の係止突起１６に他方の連結部材１５の嵌合孔１６を遊嵌することにより鎖状に接続され、かつ、一方の連結部材１５の係止突起１７を中心として他方の連結部材１５を所定角度範囲内で回動可能に設けられている。
【００２２】
継手部材２０は、図３に示すように、上方が開放されたコ字形状部片２１の側方開口部２１ａに四角形の周壁部２２を一体に形成し、長手方向に連通する内方をパチンコ球の通路ｙとしている。２３，２３はコ字形状部片２１の左右両側の縦壁部２１ｂ，２１ｂに穿設された取付孔である。また、その周壁部２２の上面２２ａと下面２２ｂには、外方に突出するように係止突起２４，２４を夫々設け、それら上面２２ａと下面２２ｂの端縁を円弧状に形成している。それらの係止突起２４を設けた平面同士の間隔寸法Ｌ２については、前記連結部材１５の係止突起１７を設けた平面同士の寸法Ｌ１と同一に設けられている。
【００２３】
ノズル部材３０は、図４に示すように、一側方を開放し、周壁部３１の下面３１ａにパチンコ球の排出口３２を形成している。その周壁部３１の上面３１ｂと下面３１ａの開放側には、嵌合孔３３，３３を穿設し、それら上面３１ｂと下面３１ａの端縁を円弧状に形成している。また、それら上面３１ｂと下面３１ａの内側の対向寸法Ｌ３については、前記連結部材１５の係止突起１７を設けた平面同士の寸法Ｌ１よりも僅かに大きく設けられている。
【００２４】
しかして、前記連結部材群１５′の一端の連結部材１５の嵌合孔１６，１６に継手部材２０の係止突起２４，２４を嵌着し、その連結部材群１５′の他端の連結部材１５の係止突起１７，１７にノズル部材３０の嵌合孔３３，３３を嵌着することにより、所定長さを有して水平方向に曲げ変形自在とされたノズルシュート１０が構成される。
【００２５】
ノズルシュート１０は、図５に示すパチンコ球貸出機１の払い出し部３に、その取付孔２３，２３をピン６，６に嵌着させることにより取り付けられる。
【００２６】
つぎに、かかる構成になるパチンコ球貸出機のノズルシュート１０の使用方法について説明する。
図６に示すように、パチンコ機ｐの前面枠ｅの前面部ｆが、膨らむような形状とされていて前方に張り出すような形態とされているとする。この場合には、パチンコ球貸出機１のノズルシュート１０を適宜曲げて先端の排出口３２が上皿ｇの上方に位置するように調節する。これにより、投入金額に応じたパチンコ球ｍが、上皿ｇ内に確実に供給される。
【００２７】
以上に述べたとおり、この遊技媒体貸出機のノズルシュートは、水平方向に曲げ変形自在とすることにより、各種遊技機の前面部及び遊技媒体の受け皿の形態に影響されることなく対応して使用することができる利点がある。
【図面の簡単な説明】
【図１】パチンコ球貸出機のノズルシュートの側面図
【図２】連結部材の平面図（イ）と側面図（ロ）
【図３】継手部材の平面図（イ）と側面図（ロ）
【図４】ノズル部材の側面図
【図５】パチンコ球貸出機の払い出し部分の説明図
【図６】パチンコ球貸出機のノズルシュートの使用状態を示す説明図
【図７】従来のパチンコ球貸出機の説明図
【符号の説明】
ｐ・・・パチンコ機（遊技機）
ｍ・・・パチンコ球（遊技媒体）
ｇ・・・上皿（受け皿）
１・・・パチンコ球貸出機（遊技媒体貸出機）
２・・・貸出機本体
３・・・払い出し部
１０・・・ノズルシュート
１５・・・連結部材
ｘ・・・通路
１５′・・・連結部材群
１６・・・嵌合孔
１７・・・係止突起
２０・・・継手部材
２３・・・取付孔
２４・・・係止突起
３０・・・ノズル部材
３２・・・排出口
３３・・・嵌合孔
【図１】
2004275354.tif 000003
【図２】
2004275354.tif 000004
【図３】
2004275354.tif 000005
【図４】
2004275354.tif 000006
【図５】
2004275354.tif 000007
【図６】
2004275354.tif 000008
【図７】
2004275354.tif 000009